(57)【要約】【課題】魚（特に稚魚）に対するダメージが少なく、落差を設ける必要もない魚類迷入防止装置を提供する。【解決手段】水路１１の水流方向と直交する方向で水上に配置されて、上部に第１開口１４ａが形成された放流管１４と、この放流管１４に回転自在に嵌合されて、回転途中で放流管の第１開口１４ａに合致する第２開口１５ｂが形成された回転管１５と、この回転管１５の第２開口１５ｂの回転方向の後側に基部２３ａが取付けられ、先端側が回転方向の前側に延在するように側面視で略つ字状に形成され、水中に入り込む先端側はネット２４に形成されている羽根２３Ａ〜２３Ｄと、この羽根２３Ａ〜２３Ｄを水流方向に回転させるように回転管１５を回転駆動させる駆動機（電動機）２０とを備えている。【選択図】図１
2008144469.tif 000002
【特許請求の範囲】
【請求項１】
水路の水流方向と直交する方向で水上に配置されて、上部に第１開口が形成された放流管と、この放流管に回転自在に嵌合されて、回転途中で放流管の第１開口に合致する第２開口が形成された回転管と、この回転管の第２開口の回転方向の後側に基部が取付けられ、先端側が回転方向の前側に延在するように側面視で略つ字状に形成され、水中に入り込む先端側はネットに形成されている羽根と、この羽根を水流方向に回転させるように回転管を回転駆動させる駆動機とを備えたことを特徴とする魚類迷入防止装置。
【請求項２】
前記羽根は、流速とほぼ同程度の周速度で回転されることを特徴とする請求項１に記載の魚類迷入防止装置。
【請求項３】
前記回転管には、円周上一定の間隔で複数個の第２開口が形成され、各第２開口の回転方向の後側に複数枚の羽根の基部がそれぞれ取付けられていることを特徴とする請求項１または２に記載の魚類迷入防止装置。
【請求項４】
前記羽根の側面視は、アルキメデスの螺線の近似曲線であることを特徴とする請求項１〜３のいずれか一項に記載の魚類迷入防止装置。
【請求項５】
前記水中に入り込んだ羽根は、回転停止時に、引き上げ機構で水上に引き上げ可能であることを特徴とする請求項１〜４のいずれか一項に記載の魚類迷入防止装置。
【請求項６】
前記引き上げ可能な羽根は、基部が回転管に回転自在に嵌合させて取付けられる一方、前記引き上げ機構は、回転管の側板に軸受で回転可能に支持されたねじ軸が設けられて、リンクアームの先端ピンが引き上げ可能な羽根の側部に連結され、リンクアームの後端に取付けられたスライドナットがねじ軸にねじ込まれて、ねじ軸を操作部材で回転させることで、スライドナットに連動するリンクアームで引き上げ可能な羽根を回転管の回りに回して水上に引き上げるようにしたことを特徴とする請求項５に記載の魚類迷入防止装置。
【発明の詳細な説明】
【技術分野】
【０００１】
本発明は、水車型の魚類迷入防止装置に関する。
【背景技術】
【０００２】
従来、ダム下流側において、ダム魚道用バケットをバケット循環移動用軌道に沿って循環移動させ、遡上魚をバケットに積み込んでダム上流側に放流するようにした自動昇降バケット装置がある（特許文献１参照）。
【０００３】
一方、図１３に示すように、水路１の水流方向と直交する方向で斜め上向きに配置されたネット式除塵機２が設けられ、この除塵機２を魚類迷入防止装置として利用して、ネット（網）３を矢印方向に回転駆動するとともに、ネット３に取付けたバケット４で、水路１に迷入した魚をすくい揚げて、帰還水路５で本流等に帰還（放流）させるようにしたものがある。なお、除塵機２は、魚とともにすくい揚げた塵芥を帰還水路５で分離して、水路外に排出させるという本来の機能も有している。
【特許文献１】特開平９−５９９６４号公報
【発明の開示】
【発明が解決しようとする課題】
【０００４】
しかしながら、特に後者の背景技術では、バケット４ですくい揚げた魚を反転部から帰還水路５に落下させる際に、落下高Ｈ１が高いために魚（特に稚魚）のダメージが大きいという問題がある。また、ネット３が水路１を遮断するために、除塵機２の上流側と下流側とに水位差Ｈ２が発生し、さらに、水路１の水深Ｈ３が浅い場合には、除塵機２の設置部分の水路底部を低くするために落差Ｈ４を設ける必要がある等の問題がある。
【０００５】
本発明は、前記問題を解消するためになされたもので、魚（特に稚魚）に対するダメージが少なく、落差を設ける必要もない魚類迷入防止装置を提供することを目的とするものである。
【課題を解決するための手段】
【０００６】
前記課題を解決するために、本発明は、水路の水流方向と直交する方向で水上に配置されて、上部に第１開口が形成された放流管と、この放流管に回転自在に嵌合されて、回転途中で放流管の第１開口に合致する第２開口が形成された回転管と、この回転管の第２開口の回転方向の後側に基部が取付けられ、先端側が回転方向の前側に延在するように側面視で略つ字状に形成され、水中に入り込む先端側はネットに形成されている羽根と、この羽根を水流方向に流速とほぼ同程度の周速度で回転させるように回転管を回転駆動させる駆動機とを備えたことを特徴とする魚類迷入防止装置を提供するものである。
【０００７】
請求項２のように、前記羽根は、流速とほぼ同程度の周速度で回転されることが好ましい。
【０００８】
請求項３のように、前記回転管には、円周上一定の間隔で複数個の第２開口が形成され、各第２開口の回転方向の後側に複数枚の羽根の基部がそれぞれ取付けられている構成とすることが好ましい。
【０００９】
請求項４のように、前記羽根の側面視は、アルキメデスの螺線の近似曲線であることが好ましい。
【００１０】
請求項５のように、前記水中に入り込んだ羽根は、回転停止時に、引き上げ機構で水上に引き上げ可能である構成とすることが好ましい。
【００１１】
請求項６のように、前記引き上げ可能な羽根は、基部が回転管に回転自在に嵌合させて取付けられる一方、前記引き上げ機構は、回転管の側板に軸受で回転可能に支持されたねじ軸が設けられて、リンクアームの先端ピンが引き上げ可能な羽根の側部に連結され、リンクアームの後端に取付けられたスライドナットがねじ軸にねじ込まれて、ねじ軸を操作部材で回転させることで、スライドナットに連動するリンクアームで引き上げ可能な羽根を回転管の回りに回して水上に引き上げるようにした構成とすることができる。
【発明の効果】
【００１２】
本発明によれば、回転に伴って水中に入り込む水車型の羽根の先端側のネット（網）部分で、水路に迷入した魚をすくい揚げると、羽根は側面視で略つ字状に形成されているから、すくい揚げられた魚は、ネット部分から羽根の窪み部分である水溜まりに滑り落ち、その状態のままで、回転管の第２開口から放流管の第１開口に窪み部分の水とともに徐々に注ぎ込まれて、放流管から本流等に放流されるようになるので、背景技術のような落下高が殆ど無いために魚（特に稚魚）に対するダメージが少なくなるとともに、すくい揚げた後から放流管に注ぎ込まれるまでの間は、水溜まりで魚を泳がせた状態を維持できるので、この点からも魚（特に稚魚）に対するダメージが少なくなる。
【００１３】
また、水路の水深が浅い場合でも、羽根の先端側のネット部分が水中に入り込むだけであるから、背景技術のような落差を設ける必要がなくなる。
【００１４】
請求項２によれば、羽根を水流方向（水流に逆らわない方向）に流速とほぼ同程度の周速度で回転させるから、水理損失は極めて小さく、羽根の上流側と下流側とに背景技術のような水位差が発生しなくなる。
【００１５】
請求項３によれば、複数枚の羽根を回転させることで、連続的に魚をすくい揚げることができる。
【００１６】
請求項４によれば、羽根の側面視をアルキメデスの螺線の近似曲線で形成することで、羽根のネット部分と窪み部分と基部とを滑らかな曲線で成形することができる。
【００１７】
請求項５によれば、魚類迷入防止装置の不使用時（回転停止時）には、羽根が水路を遮断しないので、水流が阻害されないようになる。
【００１８】
請求項６によれば、操作部材でねじ軸を回転すると、スライドナットに連動するリンクアームで引き上げ可能な羽根を回転管の回りに回して水上に引き上げられるようになる。このように、リンクアーム、スライドナット、ねじ軸、操作部材等で引き上げ機構を簡単に構成できるようになる。
【発明を実施するための最良の形態】
【００１９】
以下、本発明を実施するための最良の形態について、図面を参照しながら詳細に説明する。
【００２０】
図１２（ａ）（ｂ）は、それぞれ河川の本流１０の平面図であり、本流１０から分岐した水路（取水路）１１の取水口に、水車型の魚類迷入防止装置１２が設置されている。
【００２１】
図１は魚類迷入防止装置１２であり、（ａ）は正面図、（ｂ）は側面図である。水路１１の水流方向Ａと直交する方向Ｂで、水上である水路１１の両側壁１１ａの上部に放流管１４が配置され、この放流管１４の外周には、水路１１の内幅よりも僅かに長く設定された回転管１５が回転自在に嵌合されている〔図９（ａ）参照〕。
【００２２】
図１（ａ）に示したように、水路１１の横（本例では左横）に別の水路１１´が並設されているような場合には、放流管１４は、各水路１１，１１´に跨って一連に配置されるとともに、水路１１´に対応する放流管１４には別の回転管１５´が回転自在に嵌合されている。
【００２３】
図２（ａ）（ｂ）に示すように、水路１１の両側壁１１ａの上部には、四角形状の軸受枠１７（図１０参照）がそれぞれ設置され、各軸受枠１７の上部中央と下部左右の３点位置にベアリングブロック１８で支持されたローラ１９が設けられ、この各ローラ１９の凹溝１９ａに回転管１５の両端の凸部１５ａがそれぞれ嵌め込まれている。これにより、回転管１５は、各ローラ１９で軸方向の位置が規制された状態で、軸回りに回転自在に支持されるようになる。
【００２４】
軸受枠１７の近傍には減速機付き電動機２０が設置され、この電動機２０の出力軸スプロケット２１ａと、その近くのローラ１９の軸スプロケット２１ｂとがチェーン２１ｃで連結されることにより、図１（ｂ）のように、電動機２０で回転管１５が水流方向Ａと同方向ａに回転駆動されるようになる。
【００２５】
回転管１５の外周の両側には、水路１１の内幅よりも僅かに短く設定された横幅で一対の円板状側板１６が固定され、この側板１６の間の回転管１５の外周には、円周上等角度間隔（本例では９０度）で、羽根２３Ａ，２３Ｂ，２３Ｃ，２３Ｄの基部２３ａが取付けられている。各羽根２３Ａ〜２３Ｄは、先端側が回転方向ａの前側に延在するように側面視で略つ字状に形成されている。この羽根２３Ａ〜２３Ｄの側面視は、図３に示すように、アルキメデスの螺線の近似曲線で形成することができる。ここで、アルキメデスの螺線とは、定点Ｏの回りを一定の角速度で回転する直線上を一定の速さで運動する点Ｐの描く曲線である。本実施形態の羽根２３Ａ〜２３Ｄでは、この曲線の全てを使用するのでは無く、図３のように、約１／２回転分θ１の曲線を使用すれば良い。
【００２６】
各羽根２３Ａ〜２３Ｄは、基本的には鉄板等の硬質金属板を湾曲させて形成され、内面の両側には、図９（ａ）に示すように、羽根２３Ａ〜２３Ｄですくい揚げた水を両側から逃がさないように保持するためと、補強を兼ねた三日月状の補強リブ２３ｂが溶接されるとともに、内面の中央には、短い三日月状の補強リブ２３ｃが溶接されて、この補強リブ２３ｃよりも先端側には、縦横に多数個の四角形状開口２３ｄが形成されている。
【００２７】
各羽根２３Ａ〜２３は、例えば図１（ｂ）のように、先端側の範囲Ｃ（本例では、羽根２３Ａ〜２３Ｄの全長の約１／３）が水深Ｈ３の水中に入り込む設定であれば、この水中に入り込む範囲Ｃの開口２３ｄにネット（網）２４を取付け、その他の開口２３ｄには、内面が滑らかになるように閉塞板を取付けて塞ぐようにする。なお、水深によりネットの割合を変化させることが可能である。また、２５は、羽根２３Ａ〜２３Ｄの外方を覆うカバー体である。
【００２８】
図４（ａ）に示すように、放流管１４の上部には、同図（ｂ）を参照すれば、略水平位置から略垂直位置の角度（本例では約１０５度）θ２の範囲で第１開口１４ａが形成されるとともに、回転管１５には、同図（ｃ）を参照すれば、回転途中で放流管１４の第１開口１４ａに合致する第２開口１５ｂが適当な角度（本例では約３０度）θ３で形成されている。この回転管１５の第２開口１５ｂは、各羽根２３Ａ〜２３Ｄの基部２３ａの回転方向ａの直ぐ前側にそれぞれ形成されている。換言すれば、回転管１５の第２開口１５ｂの回転方向ａの直ぐ後側に各羽根２３Ａ〜２３Ｄの基部２３ａが取付けられていることになる。
【００２９】
本実施形態では、回転管１５に、円周上一定の間隔（本例では９０度）で複数個（本例では４個）の第２開口１５ｂを形成し、各第２開口１５ｂの回転方向ａの後側に複数枚（本例では４枚）の羽根２３Ａ〜２３Ｄの基部２３ａをそれぞれ取付けたが、羽根の枚数は１枚でも５枚以上でも構わない。
【００３０】
前記魚類迷入防止装置１２の構成において、電動機２０によって、羽根２３Ａ〜２３Ｄを水流方向Ａに流速（例えば０．４〜０．５ｍ／ｓ）とほぼ同程度の周速度で回転させるように回転管１５を回転駆動させる。以下で参照する図５と図６では、説明と図を簡略化するために、１枚の羽根２３Ａのみを図示し、羽根２３Ｂ〜２３Ｃの図示を省略している。
【００３１】
図５（ａ）において、羽根２３Ａの先端部が丁度水面にあるときをスタート位置ｂとする。図５（ｂ）（ｃ）のように、羽根２３Ａの回転で先端部が水中位置ｃから水面位置ｄまで移動すると、回転に伴って水中に入り込む羽根２３Ａの先端側のネット２４の部分で、水路１１に迷入した魚がすくわれるとともに、ネット２４よりも後方の部分（開口２３ｄが閉塞板で塞がれている。）で水がすくわれるようになる。
【００３２】
ついで、図５（ｄ）のように、羽根２３Ａの回転で先端部が水面の上方位置ｅまで移動すると、ネット２４の部分で魚がすくい揚げられるととともに、ネット２４よりも後方の部分で水がすくい揚げられて水溜まり２３ｅが生じるようになる。
【００３３】
このとき、羽根２３Ａは、側面視で略つ字状に形成されているから、ネット２４の部分ですくい揚げられた魚は、ネット２４の部分から羽根２３Ａの窪み部分である水溜まり２３ｅに滑り落ちるようになり、魚は水溜まり２３ｅで泳ぐことができる（図４（ａ）のクロスハッチング部分を参照）。
【００３４】
その状態のままで、図５（ｅ）（ｆ）のように、羽根２３Ａの回転で先端部が水面の上方位置ｆ，ｇまでさらに移動し、図６（ａ）（ｂ）のように、羽根２３Ａの回転で先端部が水面の上方位置ｈ，ｉまでさらに移動すると、図４（ａ）に詳細に示すように、回転管１５の第２開口１５ｂが放流管１４の第１開口１４ａに徐々に合致するようになる。
【００３５】
そして、図６（ｃ）（ｄ）のように、羽根２３Ａの回転で先端部が水面の上方位置ｊ，ｋまでさらに移動する間に、回転管１５の第２開口１５ｂから放流管１４の第１開口１４ａに、水溜まり２３ｅの水とともにすくい揚げられた魚が徐々に注ぎ込まれて〔図４（ａ）の矢印ｐ，ｑ参照〕、図１２（ａ）のように、放流管１４から接続管２６を介して本流１０等に放流されるようになる。
【００３６】
このように、背景技術のような落下高Ｈ１が殆ど無いために魚（特に稚魚）に対するダメージが少なくなる。しかも、すくい揚げた後から放流管１４に注ぎ込まれるまでの間は、水溜まり２３ｅで魚を泳がせた状態を維持できるので、この点からも魚（特に稚魚）に対するダメージが少なくなる。
【００３７】
また、羽根２３Ａを水流方向（水流に逆らわない方向）に流速とほぼ同程度の周速度で回転させるから、水理損失は極めて小さく、羽根２３Ａの上流側と下流側とに背景技術のような水位差Ｈ２が発生しなくなる。
【００３８】
さらに、水路１１の水深Ｈ３が浅い場合でも、羽根２３Ａの先端側のネット２４の部分が水中に入り込むだけであるから、背景技術のような落差Ｈ４を設ける必要がなくなる。
【００３９】
また、本実施形態のように、複数枚の羽根２３Ａ〜２３Ｄを回転させることで、連続的に魚をすくい揚げることができる。
【００４０】
さらに、羽根２３Ａ〜２３Ｄの側面視をアルキメデスの螺線の近似曲線で形成することで、羽根２３Ａ〜２３Ｄのネット２４の部分と水溜まり（窪み部分）２３ｅと基部２３ａとを滑らかな曲線で成形することができる。
【００４１】
なお、図１に示したように、羽根２３Ａ〜２３Ｄの上方位置に、洗浄水を放流管１４の第１開口１４ａに向かって噴射する洗浄配管２７を配置すれば、ネット２４に引っ掛かった塵芥等を除去することができる。
【００４２】
図１に示したように、回転管１５に４枚の羽根２３Ａ〜２３Ｄを取付けている場合、魚類迷入防止装置１２の不使用時（回転停止時）でも、羽根２３Ｃが水中に入り込んでいる。なお、水路１１の水位が上昇すれば、羽根２３Ｂも水中に入り込むこともある。
【００４３】
このように、魚類迷入防止装置１２の不使用時（回転停止時）に、２枚の羽根２３Ｂ，２３Ｃが水中に入り込んでいると、水路１１を遮断することになるので、水中に入り込んだ羽根２３Ｂ，２３Ｃは、回転停止時に、図７に二点鎖線で示すように、矢印ｖ，ｗのように水上に引き上げ可能とすることが好ましい。
【００４４】
そこで、図９に示すように、水中に入り込まない２枚の羽根２３Ａ，２３Ｄの基部２３ａは、回転管１５の外周に溶接等で固定して取付けるとともに、水中に入り込む２枚の羽根２３Ｂ，２３Ｃの基部２３ａは、リング状に形成して、回転管１５の外周に回転自在に嵌合させて取付ける。
【００４５】
図７〜図１１に示すように、回転管１５の両側の側板１６の外面側に台形状のリンクアーム３０ａ，３０ｂ，３０ｃを配置して、一側のリンクアーム３０ａの先端ピンは、側板１６の円弧孔１６ａを貫通させて羽根２３Ｃの側部に連結するとともに、他側のリンクアーム３０ｂの先端ピンは、側板１６の円弧孔（不図示）を貫通させて羽根２３Ｃの側部に連結する。また、リンクアーム３０ａ，３０ｂの後端を連結する中央のリンクアーム３０ｃにはスライドナット３１を取付ける。
【００４６】
そして、図８のように、各側板１６の外面にそれぞれ取付けた一対の軸受３２でねじ軸３３を回転可能に支持して、このねじ軸３３にスライドナット３１をねじ込むとともに、各ねじ軸３３の後端と、各側板１６を軸方向に貫通する連動軸２９の両端とを傘歯車３４でそれぞれ連結する。
【００４７】
図１０のように、羽根２３Ａ〜２３Ｄよりも下流側の水路１１の側壁１１ａの上部にはブロック材３５が架け渡され、このブロック材３５の上の支持台３６に、減速機付き電動機３７が軸方向に移動可能に取付けられている。この電動機３７は、図７のように、矢印ｒの方向に下移動させたときに、出力軸ジョイント３７ａを一方の側板（図８では上側）１６のねじ軸３３のジョイント３３ａに連結することができ、矢印ｓの方向に上移動させるときに、出力軸ジョイント３７ａをねじ軸３３のジョイント３３ａから切り離すことができるようになっている。
【００４８】
そして、電動機３７の出力軸ジョイント３７ａをねじ軸３３のジョイント３３ａに連結して、電動機３７でねじ軸３３を一方に回転すると、図７のように、スライドナット３１の矢印ｔの方向の移動に連動して、リンクアーム３０ａ，３０ｂ，３０ｃが図７に二点鎖線で示すように移動することで、羽根２３Ｂは、リング状の基部２３ａを中心に回転管１５の回りを左回り（矢印ｖ参照）し、羽根２３Ｃは、リング状の基部２３ａを中心に回転管１５の回りを右回り（矢印ｗ参照）することで、同図に二点鎖線で示すように水上に引き上げられるようになる。
【００４９】
その後、電動機３７でねじ軸３３を他方に回転すると、スライドナット３１の矢印ｕの方向の移動に連動して、リンクアーム３０ａ，３０ｂ，３０ｃが図７に実線で示すように移動することで、羽根２３Ｂは、リング状の基部２３ａを中心に回転管１５の回りを右回りし、羽根２３Ｃは、リング状の基部２３ａを中心に回転管１５の回りを左回りすることで、同図に実線で示すように水中に入り込むようになる。
【００５０】
なお、水上に引き上げる羽根２３Ｂ，２３Ｃは、予め定めておいて、図７のように、側板１６側のドグ３８ａを支持台３６側の近接スイッチ３８ｂが検出した定位置で回転管１５の回転を停止させるようにする。
【００５１】
リンクアーム３０ａ，３０ｂ，３０ｃ、スライドナット３１、ねじ軸３３、電動機（操作部材）３７等は、引き上げ機構を構成する。なお、電動機３７に代えて、手動の操作部材、例えばクランクレバー等をねじ軸３３に連結するようにしても良い。
【００５２】
このように、水中に入り込んだ羽根２３Ｂ，２３Ｃを水上に引き上げ可能とすれば、魚類迷入防止装置１２の不使用時（回転停止時）には、羽根２３Ｂ，２３Ｃが水路１１を遮断しないので、水流が阻害されないようになる。
【００５３】
また、リンクアーム３０ａ，３０ｂ，３０ｃ、スライドナット３１、ねじ軸３３、電動機３７等で引き上げ機構を簡単に構成できるようになる。
【００５４】
前記実施形態では、魚類迷入防止装置１２として説明したが、図１２（ｂ）のように、接続管２６の出口にスクリーン４０を設ければ、魚とともにすくい揚げた塵芥をスクリーン４０で分離して、魚は、スクリーン４０を通り抜けさせて本流１０等に放流するとともに、塵芥はスクリーン４０で捕捉して、水路１１外に排出することができる除塵機としても機能する。
【００５５】
したがって、魚類迷入防止装置１２としてでは無く、除塵だけを目的とするならば、水車型の除塵機とすることができる。
【図面の簡単な説明】
【００５６】
【図１】本発明の実施形態に係る魚類迷入防止装置であり、（ａ）は正面図、（ｂ）は側面図である。
【図２】駆動機構であり、（ａ）は側面図、（ｂ）は平面図である。
【図３】アルキメデスの螺線図である。
【図４】回転管と放流管との開口の関係を示し、（ａ）は側面断面図、（ｂ）は放流管の側面断面図、（ｃ）は回転管の側面断面図である。
【図５】（ａ）〜（ｆ）は、羽根の回転位置を示す側面断面図である。
【図６】（ａ）〜（ｄ）は、羽根の回転位置を示す側面断面図である。
【図７】引き上げ機構を備えた魚類迷入防止装置の側面図である。
【図８】図７の平面図である。
【図９】回転管と羽根との関係を示し、（ａ）は羽根の分解斜視図、（ｂ）は回転管に引き上げ可能な羽根を嵌合させた斜視図である。
【図１０】魚類迷入防止装置の使用時（回転時）の斜視図である。
【図１１】魚類迷入防止装置の不使用時（回転停止時で羽根の引き上げ時）の斜視図である。
【図１２】河川の本流と水路との関係を示し、（ａ）は水路（取水路）の取水口に魚類迷入防止装置が設置された平面図、（ｂ）は接続管に除塵用スクリーンを設けた平面図である。
【図１３】背景技術のネット式除塵機の側面図である。
【符号の説明】
【００５７】
１０    本流
１１    水路
１２    魚類迷入防止装置
１４    放流管
１４ａ  第１開口
１５    回転管
１５ｂ  第２開口
２０    電動機（駆動機）
２３Ａ〜２３Ｄ  羽根
２３ａ  基部
２４    ネット（網）
３０ａ〜３０ｃ  リンクアーム（引き上げ機構）
３１    スライドナット（引き上げ機構）
３３    ねじ軸（引き上げ機構）
３７    電動機（操作部材）
【図１】
2008144469.tif 000003
【図２】
2008144469.tif 000004
【図３】
2008144469.tif 000005
【図４】
2008144469.tif 000006
【図５】
2008144469.tif 000007
【図６】
2008144469.tif 000008
【図７】
2008144469.tif 000009
【図８】
2008144469.tif 000010
【図９】
2008144469.tif 000011
【図１０】
2008144469.tif 000012
【図１１】
2008144469.tif 000013
【図１２】
2008144469.tif 000014
【図１３】
2008144469.tif 000015